(57)【要約】【課題】子宮の収縮の様子（陣痛の様子）を、妊婦に不便や不快感を与えることのない非侵襲な方法で検出することができ、且つ取付けの手間や脱落の恐れのない妊娠状態モニタリングシステムを提供する。【解決手段】載置台の上の母体且つ／又は該母体の子宮内の胎児の状態をモニターする妊娠状態モニタリングシステムは、載置台又は載置台の脚下に設けられ、前記母体及び前記胎児の荷重の時間的変動を検出する複数の荷重検出器と、前記母体及び前記胎児の荷重の時間的変動の周波数スペクトルを求める信号解析部と、前記求められた周波数スペクトルに基づいて前記母体の子宮に収縮が生じているか否かを判定する状態監視部とを備える。【選択図】図１
2018068477.tif 000002
【特許請求の範囲】
【請求項１】
載置台の上の母体且つ／又は該母体の子宮内の胎児の状態をモニターする妊娠状態モニタリングシステムであって、
載置台又は載置台の脚下に設けられ、前記母体及び前記胎児の荷重の時間的変動を検出する複数の荷重検出器と、
前記母体及び前記胎児の荷重の時間的変動の周波数スペクトルを求める信号解析部と、
前記求められた周波数スペクトルに基づいて、前記母体の子宮に収縮が生じているか否かを判定する状態監視部とを備える妊娠状態モニタリングシステム。
【請求項２】
前記状態監視部は、更に、前記母体の子宮に収縮が生じる周期を求める請求項１に記載の妊娠状態モニタリングシステム。
【請求項３】
更に、前記母体の子宮に収縮が生じる周期が所定値に至ったことに基づいて所定の出力を行う出力部を備える請求項２に記載の妊娠状態モニタリングシステム。
【請求項４】
前記信号解析部は、前記母体及び前記胎児の荷重の時間的変動に含まれる前記胎児の心拍に応じて振動する荷重成分を分離し、
前記状態監視部は、前記胎児の心拍に応じて振動する荷重成分に基づいて前記胎児の心拍の状態を監視する請求項１に記載の妊娠状態モニタリングシステム。
【請求項５】
更に、前記母体及び前記胎児の荷重から前記母体且つ／又は前記胎児の重心の位置を求める重心位置算出部を備え、
前記信号解析部は、前記母体及び前記胎児の荷重の時間的変動に含まれる前記母体の呼吸に応じて振動する荷重成分を分離し、
前記重心位置算出部は、該母体の呼吸に応じて振動する荷重成分に基づき前記母体の重心の位置を求める請求項１〜４のいずれか一項に記載の妊娠状態モニタリングシステム。
【発明の詳細な説明】
【技術分野】
【０００１】
本発明は、荷重検出器を用いて母体（妊婦）且つ／又は胎児の状態をモニターする妊娠状態モニタリングシステムに関する。
【背景技術】
【０００２】
妊婦の子宮の収縮の様子を監視することは、安全な出産を迎える上で重要な技術となっている。具体的には例えば、妊娠後期の妊婦に対して実施されるノンストレステスト（ＮＳＴ）では、妊婦の子宮の収縮の様子と胎児の心拍の様子とを同期して検出し、安全な分娩を迎えることが可能であるか否かが判定される。分娩中にも同様に、妊婦の子宮の収縮の様子と胎児の心拍の様子の検出が行われており、医師や助産師に、安全に分娩を進めるための重要な指標を与えている。なお、分娩時に生じる妊婦の子宮の収縮は非常に強く、陣痛と呼ばれる強い痛みを妊婦に生じさせる。
【０００３】
妊婦の子宮の収縮の様子（分娩時においては陣痛の様子）は、一般に、陣痛計と呼ばれる感圧式のセンサを用いて検出されている。具体的には、妊婦の腹部に陣痛計を接触させ、妊婦の腹部を囲むベルトによって固定する。妊婦の子宮が収縮すれば、これに伴って妊婦の腹囲が拡張し陣痛計のセンサ部が圧迫される。陣痛計は、この圧迫の強さに基づいて子宮の収縮の様子を検出する。
【０００４】
また、このような陣痛計に代えて、筋音図測定に基づいて子宮の収縮を検知する陣痛センサを用いることも提案されている（特許文献１）。
【先行技術文献】
【特許文献】
【０００５】
【特許文献１】特開２０１６−６７８１６
【発明の概要】
【発明が解決しようとする課題】
【０００６】
従来用いられている感圧式の陣痛計や特許文献１に記載の陣痛センサは、妊婦の腹部に直接接触させて用いられるため、腹部を容易に露出することのできる服装とすることが必要であったり、センサが腹部に押し付けられる感覚に耐える必要があったりと、妊婦に様々な不便や不快感を与え得るものであった。また、緊急を要する分娩においては陣痛計の取付けに手間を要することが問題であるとともに、不慣れな者が陣痛計を取り付けると陣痛計がずれたり外れたりし正確な計測が行えなくなる点も問題である。
【０００７】
そこで本発明は、子宮の収縮の様子（陣痛の様子）を、妊婦に不便や不快感を与えることのない非侵襲な方法で検出することができ、且つ取付けの手間や脱落の恐れのない妊娠状態モニタリングシステムを提供することを目的とする。
【課題を解決するための手段】
【０００８】
本発明の第１の態様に従えば、
載置台の上の母体且つ／又は該母体の子宮内の胎児の状態をモニターする妊娠状態モニタリングシステムであって、
載置台又は載置台の脚下に設けられ、前記母体及び前記胎児の荷重の時間的変動を検出する複数の荷重検出器と、
前記母体及び前記胎児の荷重の時間的変動の周波数スペクトルを求める信号解析部と、
前記求められた周波数スペクトルに基づいて、前記母体の子宮に収縮が生じているか否かを判定する状態監視部とを備える妊娠状態モニタリングシステムが提供される。
【０００９】
第１の態様の妊娠状態モニタリングシステムにおいて、前記状態監視部は、更に、前記母体の子宮に収縮が生じる周期を求めてもよい。
【００１０】
第１の態様の妊娠状態モニタリングシステムは、更に、前記母体の子宮に収縮が生じる周期が所定値に至ったことに基づいて所定の出力を行う出力部を備えてもよい。
【００１１】
第１の態様の妊娠状態モニタリングシステムにおいて、前記信号解析部は、前記母体及び前記胎児の荷重の時間的変動に含まれる前記胎児の心拍に応じて振動する荷重成分を分離してもよく、前記状態監視部は、前記胎児の心拍に応じて振動する荷重成分に基づいて前記胎児の心拍の状態を監視してもよい。
【００１２】
第１の態様の妊娠状態モニタリングシステムは、更に、前記母体及び前記胎児の荷重から前記母体且つ／又は前記胎児の重心の位置を求める重心位置算出部を備えてもよく、前記信号解析部は、前記母体及び前記胎児の荷重の時間的変動に含まれる前記母体の呼吸に応じて振動する荷重成分を分離してもよく、前記重心位置算出部は、該母体の呼吸に応じて振動する荷重成分に基づき前記母体の重心の位置を求めてもよい。
【発明の効果】
【００１３】
本発明の妊娠状態モニタリングシステムは、子宮の収縮の有無（陣痛の有無）を非侵襲でモニターすることができ、且つ取付けの手間や脱落の恐れがない。
【図面の簡単な説明】
【００１４】
【図１】図１は、本発明の実施形態に係る妊娠状態モニタリングシステムの構成を示すブロック図である。
【図２】図２は、荷重検出器のベッドに対する配置を示す説明図である。
【図３】図３は、本発明の実施形態に係る妊娠状態モニタリングシステムを用いて妊娠状態を監視する手順を示すフローチャートである。
【図４】図４は、信号解析部が求める周波数スペクトルの一例である。図４（ａ）は母体の子宮に収縮が生じていない期間における荷重信号の周波数スペクトルを、図４（ｂ）は母体の子宮に収縮が生じている期間における荷重信号の周波数スペクトルを示す。
【図５】図５は、陣痛開始時刻、陣痛終了時刻、陣痛周期、陣痛継続時間の関係を説明する説明図である。
【図６】図６は、本発明の実施形態に係る妊娠状態モニタリングシステムを含むベッドシステムの構成を示すブロック図である。
【発明を実施するための形態】
【００１５】
＜実施形態＞
図１〜図５を参照して、本発明の実施形態の妊娠状態モニタリングシステム１００を説明する。以下では、主に妊娠状態モニタリングシステム１００をベッドと共に使用する場合を例として説明するが、妊娠状態モニタリングシステム１００をその他の装置、例えば分娩台やストレッチャーと共に使用することもできる。
【００１６】
本明細書及び本発明において「妊娠状態」とは、母体（妊婦）の状態且つ／又は当該母体内の胎児に関連する様々な状態を意味する。また、本明細書及び本発明において、ベッド、分娩台、ストレッチャー等、妊娠状態モニタリングシステムと共に使用され且つその上に妊婦が載せられる装置や機器を「載置台」と呼ぶ。
【００１７】
図１に示す通り、本実施形態の妊娠状態モニタリングシステム１００は、荷重検出部１、制御部３、記憶部４、表示部５を主に有する。荷重検出部１と制御部３とは、Ａ／Ｄ変換部２を介して接続されている。制御部３には更に、報知部６、通信部７、及び入力部８が接続されている。本明細書及び本発明では、表示部５、報知部６、通信部７をまとめて「出力部」と呼ぶ。
【００１８】
荷重検出部１は、４つの荷重検出器１ａ、１ｂ、１ｃ、１ｄを備える。荷重検出器１ａ、１ｂ、１ｃ、１ｄのそれぞれは、例えばビーム形のロードセルを用いて荷重を検出する荷重検出器である。このような荷重検出器は例えば、特許第４８２９０２０号や特許第４００２９０５号に記載されている。荷重検出器１ａ、１ｂ、１ｃ、１ｄはそれぞれ、配線によりＡ／Ｄ変換部２に接続されている。
【００１９】
荷重検出部１の４つの荷重検出器１ａ、１ｂ、１ｃ、１ｄは、被験者が使用するベッドの脚の下に配置される。具体的には荷重検出器１ａ、１ｂ、１ｃ、１ｄは、図２に示す通り、ベッドＢＤの四隅の脚の下端部に取り付けられたキャスターＣａ、Ｃｂ、Ｃｃ、Ｃｄの下にそれぞれ配置される。
【００２０】
Ａ／Ｄ変換部２は、荷重検出部１からのアナログ信号をデジタル信号に変換するＡ／Ｄ変換器を備え、荷重検出部１と制御部３にそれぞれ配線で接続されている。
【００２１】
制御部３は、専用又は汎用のコンピュータであり、内部に信号解析部３１、呼吸情報算出部３２、心拍情報算出部３３、重心位置算出部３４、状態監視部３５が構築されている。
【００２２】
記憶部４は、妊娠状態モニタリングシステム１００において使用されるデータを記憶する記憶装置であり、例えばハードディスク（磁気ディスク）を用いることができる。表示部５は、制御部３から出力される情報を妊娠状態モニタリングシステム１００の使用者に表示する液晶モニター等のモニターである。
【００２３】
報知部６は、制御部３からの情報に基づいて所定の報知を聴覚的に行う装置、例えばスピーカを備える。通信部７は、所定の回線を通じて外部と通信を行う部分であり、例えばモデムを備える。入力部８は、制御部３に対して所定の入力を行うためのインターフェイスであり、キーボード及びマウスにし得る。
【００２４】
このような妊娠状態モニタリングシステム１００を使用してベッド上の被験者Ｓ（母体（妊婦）Ｓ１及び胎児Ｓ２）の状態を監視する動作について説明する。
【００２５】
妊娠状態モニタリングシステム１００を使用した被験者の状態の監視は、図３に示す通り、被験者Ｓの荷重を荷重信号として検出する荷重検出工程（Ｓ１０１）、検出した荷重信号を解析する信号解析工程（Ｓ１０２）、解析した信号に基づいて妊婦の呼吸情報及び心拍情報を算出する呼吸情報算出工程（Ｓ１０３）及び心拍情報算出工程（Ｓ１０４）、検出した荷重信号に基づいて妊婦及び胎児の重心位置を算出する重心位置算出工程（Ｓ１０５）、上記工程において算出された各種情報に基づいて妊娠状態を監視する状態監視工程（Ｓ１０６）、及び監視結果を出力する出力工程（Ｓ１０７）を主に含む。
【００２６】
[荷重検出工程]
荷重検出工程Ｓ１０１では、荷重検出器１ａ、１ｂ、１ｃ、１ｄを用いてベッドＢＤ上の被験者Ｓ（母体（妊婦）Ｓ１及び胎児Ｓ２）の荷重を検出する。荷重検出器１ａ、１ｂ、１ｃ、１ｄは、上記の通りキャスターＣａ、Ｃｂ、Ｃｃ、Ｃｄの下にそれぞれ配置されているため、ベッドＢＤの上面に加えられる荷重は、４つの荷重検出器１ａ、１ｂ、１ｃ、１ｄに分散して検知される。
【００２７】
荷重検出器１ａ、１ｂ、１ｃ、１ｄはそれぞれ、荷重（荷重変化）を検出してアナログ信号としてＡ／Ｄ変換部２に出力する。Ａ／Ｄ変換部２は、サンプリング周期を例えば５ミリ秒として、アナログ信号をデジタル信号に変換し、デジタル信号（以下「荷重信号」）として制御部３に出力する。以下では、荷重検出器１ａ、１ｂ、１ｃ、１ｄから出力され、Ａ／Ｄ変換部２においてデジタル変換された荷重信号を、それぞれ荷重信号ｓａ、ｓｂ、ｓｃ、ｓｄと呼ぶ。
【００２８】
[信号解析工程]
信号解析工程Ｓ１０２は、信号解析部３１により、荷重信号ｓａ、ｓｂ、ｓｃ、ｓｄの各々を複数の成分に分離する工程である。具体的には、荷重信号ｓａ〜ｓｄの各々を、母体Ｓ１の呼吸に応じて振動する成分、母体Ｓ１の心拍に応じて振動する成分、胎児Ｓ２の心拍に応じて振動する成分、及び母体Ｓ１の子宮の収縮に応じて振動する成分に分離する。
【００２９】
信号解析部３１は、まず、荷重信号ｓａについてフーリエ解析を行い、例えば０．１Ｈｚ〜２０Ｈｚの周波数帯域の周波数スペクトルを求める。求められた周波数スペクトルの一例を図４（ａ）、図４（ｂ）に示す。図４（ａ）は母体Ｓ１の子宮に収縮が生じていない期間に取得された荷重信号ｓａに対するフーリエ解析の結果、図４（ｂ）は母体Ｓ１の子宮に収縮が生じている期間に取得された荷重信号ｓａに対するフーリエ解析の結果である。なお、荷重信号ｓａ〜ｓｄはいずれもベッドＢＤ上の被験者Ｓの生体活動に応じて振動しているため、荷重信号ｓａ〜ｓｄの各々についてのフーリエ解析の結果は略同一となる。したがってフーリエ解析は荷重信号ｓａ〜ｓｄの少なくとも１つについて行えばよく、必ずしも荷重信号ｓａについて行う必要はない。
【００３０】
人間の呼吸は、１分間に約１２〜２０回程度行われるため、人間の呼吸の周波数は０．２〜０．３３Ｈｚ程度である。したがって、荷重信号ｓａについてフーリエ解析を行えば、０．２〜０．３３Ｈｚの周波数帯域において、母体Ｓ１の呼吸の周波数（母体呼吸周波数）に対応する位置に周波数ピークが現れる。信号解析部３１は、この周波数帯域に現れた周波数ピークの位置に基づいて、母体呼吸周波数を特定する。
【００３１】
図４（ａ）、図４（ｂ）に示す例においては、０．２〜０．３３Ｈｚ程度の周波数帯域では、周波数ν１ｂＨｚの位置に周波数ピークが現れている。したがって信号解析部３１は、母体呼吸周波数（の中心値）がν１ｂＨｚであると特定する。なお、胎児Ｓ２は肺呼吸を行っていないため、周波数スペクトルに胎児の呼吸に対応する周波数ピークは現れない。
【００３２】
人間の心拍は、１分間に３０〜２００回程度行われるため、人間の心拍の周波数は０．５〜３．３Ｈｚ程度である。また、母体の心拍数の正常値は約８０〜９０回程度（１．３３〜１．５Ｈｚ程度）、胎児の心拍数の正常値は、母体の心拍数の正常値よりも大きい約１２０〜１６０回程度（２〜２．６６Ｈｚ程度）であることがわかっている。
【００３３】
したがって、荷重信号ｓａについてフーリエ解析を行えば、０．５〜３．３Ｈｚ程度の周波数帯域において、母体Ｓ１の心拍の周波数（母体心拍周波数）に対応する位置、及び胎児Ｓ２の心拍の周波数（胎児心拍周波数）に対応する位置に周波数ピークが現れる。信号解析部３１は、この周波数帯域に現れた周波数ピークの位置に基づいて、母体心拍周波数及び胎児心拍周波数を特定する。
【００３４】
図４（ａ）、図４（ｂ）に示す例においては、０．５〜３．３Ｈｚ程度の周波数帯域では、周波数ν１ｈＨｚの位置、及び周波数ν１ｈＨｚより高周波数側である周波数ν２ｈＨｚの位置に周波数ピークが現れている。したがって信号解析部３１は、母体心拍周波数（の中心値）がν１ｈＨｚであり、胎児心拍周波数（の中心値）がν２ｈＨｚであると特定する。
【００３５】
母体Ｓ１の子宮に収縮が生じている時には、子宮を構成する子宮筋は微小振動しており、その周波数は約３〜２０Ｈｚ程度であることが分かっている（例えば、特許文献１参照）。したがって、荷重信号ｓａについてフーリエ解析を行えば、３〜２０Ｈｚ程度の周波数帯域において、母体Ｓ１の子宮筋の振動周波数（子宮筋周波数）に対応する位置に周波数ピークが現れる。信号解析部３１は、この周波数帯域に現れた周波数ピークの位置に基づいて、子宮筋周波数を特定する。
【００３６】
図４（ｂ）に示す例においては、３〜２０Ｈｚ程度の周波数帯域では、周波数ν１ｃＨｚの位置に周波数ピークが現れている。したがって信号解析部３１は、子宮筋周波数（の中心値）がν１ｃＨｚであると特定する。なお、母体Ｓ１の子宮に収縮が生じていない期間に取得された荷重信号ｓａに対するフーリエ解析の結果の一例を示す図４（ａ）においては、３〜２０Ｈｚ程度の周波数帯域に周波数ピークは現れていない。
【００３７】
次いで、信号解析部３１は、荷重信号ｓａ、ｓｂ、ｓｃ、ｓｄの各々から、特定した母体呼吸周波数（ν１ｂＨｚ）で振動する成分、母体心拍周波数（ν１ｈＨＺ）で振動する成分、胎児心拍周波数（ν２ｈＨｚ）で振動する成分、及び子宮筋周波数（ν１ｃＨｚ）で振動する成分をそれぞれ分離して取り出す。これらの各成分は、例えば、荷重信号ｓａ〜ｓｄの各々に対してバンドパスフィルタ処理を行うことにより取り出される。
【００３８】
以下では、荷重信号ｓａ、ｓｂ、ｓｃ、ｓｄに含まれる母体呼吸周波数で振動する成分を、それぞれ、母体呼吸成分ｓａ１ｂ、ｓｂ１ｂ、ｓｃ１ｂ、ｓｄ１ｂと呼ぶ。同様に、荷重信号ｓａ〜ｓｄに含まれる母体心拍周波数で振動する成分を母体心拍成分ｓａ１ｈ〜ｓｄ１ｈ、胎児心拍周波数で振動する成分を胎児心拍成分ｓａ２ｈ〜ｓｄ２ｈ、子宮筋周波数で振動する成分を子宮収縮成分ｓａ１ｃ〜ｓｄ１ｃと呼ぶ。
【００３９】
[呼吸情報算出工程、心拍情報算出工程]
呼吸情報算出工程Ｓ１０３では、呼吸情報算出部３２が、信号解析工程Ｓ１０２において特定された母体呼吸周波数の値に基づき、母体Ｓ１の呼吸数を算出する。この算出は、具体的には例えば、母体呼吸周波数［Ｈｚ］を呼吸数［回／分］に換算することにより行われる。
【００４０】
心拍情報算出工程Ｓ１０４では、心拍情報算出部３３が、信号解析工程Ｓ１０２において特定された母体心拍周波数、胎児心拍周波数の値に基づき母体Ｓ１、胎児Ｓ２の心拍数を算出する。これらの算出も、具体的には例えば、母体心拍周波数［Ｈｚ］及び胎児心拍周波数［Ｈｚ］を呼吸数［回／分］に換算することにより行われる。
【００４１】
[重心位置算出工程]
重心位置算出工程Ｓ１０５では、重心位置算出部３４が、ベッドＢＤ上に加えられる全荷重の合成重心である全体重心Ｇ０の位置、母体呼吸成分ｓａ１ｂ〜ｓｄ１ｂに基づく母体呼吸重心Ｇ１ｂの位置、母体心拍成分ｓａ１ｈ〜ｓｄ１ｈに基づく母体心拍重心Ｇ１ｈの位置、胎児心拍成分ｓａ２ｈ〜ｓｄ２ｈに基づく胎児心拍重心Ｇ２ｈの位置をそれぞれ算出する。
【００４２】
各重心位置の算出は次の演算により行われる。ベッドＢＤ上に、図２に示す通りＸＹ座標を設定し、荷重検出器１ａ、１ｂ、１ｃ、１ｄ、の座標をそれぞれ（Ｘａ、Ｙａ）、（Ｘｂ、Ｙｂ）、（Ｘｃ、Ｙｃ）、（Ｘｄ、Ｙｄ）、荷重検出器１ａ、１ｂ、１ｃ、１ｄの荷重の検出値をそれぞれＷａ、Ｗｂ、Ｗｃ、Ｗｄとすると、ベッドＢＤ上に加えられた荷重の重心位置Ｇ（Ｘ、Ｙ）は、次式により算出される。
【数１】
2018068477.tif 000003
【数２】
2018068477.tif 000004
【００４３】
ここで、荷重検出器１ａ、１ｂ、１ｃ、１ｄの荷重の検出値Ｗａ、Ｗｂ、Ｗｃ、Ｗｄとして荷重信号ｓａ、ｓｂ、ｓｃ、ｓｄの各サンプリング時刻毎の出力値を用いることで、各サンプリング時刻ごとの全体重心Ｇ０の位置が算出される。
【００４４】
同様に、荷重検出器１ａ、１ｂ、１ｃ、１ｄの荷重の検出値Ｗａ、Ｗｂ、Ｗｃ、Ｗｄとして母体呼吸成分ｓａ１ｂ〜ｓｄ１ｂの各サンプリング時刻毎の出力値を用いることで各サンプリング時刻ごとの母体呼吸重心Ｇ１ｂの位置が算出され、母体心拍成分ｓａ１ｈ〜ｓｄ１ｈの各サンプリング時刻毎の出力値を用いることで各サンプリング時刻ごとの母体心拍重心Ｇ１ｈの位置が算出され、胎児心拍成分ｓａ２ｈ〜ｓｄ２ｈの各サンプリング時刻毎の出力値を用いることで各サンプリング時刻ごとの胎児心拍重心Ｇ２ｈの位置が算出される。
【００４５】
全体重心Ｇ０、母体呼吸重心Ｇ１ｂ、母体心拍重心Ｇ１ｈ、胎児心拍重心Ｇ２ｈは、それぞれ次の特徴を有する。
【００４６】
全体重心Ｇ０の位置は、ベッドＢＤ上に加えられる全荷重の重心の位置であり、ベッドＢＤに荷重を加える実体が被験者Ｓのみである場合は、母体Ｓ１と胎児Ｓ２との合成重心の位置となる。
【００４７】
母体呼吸重心Ｇ１ｂ及び母体心拍重心Ｇ１ｈはそれぞれ、母体呼吸成分ｓａ１ｂ〜ｓｄ１ｂ、母体心拍成分ｓａ１ｈ〜ｓｄ１ｈに基づいて算出された重心位置であるため、母体Ｓ１と胎児Ｓ２との合成重心よりも母体Ｓ１単独の重心寄りの位置となる。母体呼吸重心Ｇ１ｂ及び母体心拍重心Ｇ１ｈは、母体Ｓ１の移動及び胎児Ｓ２の移動の両方に起因して移動するが、母体Ｓ１の移動の影響を胎児Ｓ２の移動の影響よりも大きく受ける。また、ベッドＢＤ上に被験者Ｓ以外に起因する荷重（バッグ等の無生物や見舞客等による荷重）が加えられても、これらの荷重の振動周波数は一般に母体呼吸成分ｓａ１ｂ〜ｓｄ１ｂ、母体心拍成分ｓａ１ｈ〜ｓｄ１ｈの振動周波数とは異なるため、母体呼吸重心Ｇ１ｂ及び母体心拍重心Ｇ１ｈはこれらの荷重の影響を受けない。
【００４８】
胎児心拍重心Ｇ２ｈは、胎児心拍成分ｓａ２ｈ〜ｓｄ２ｈに基づいて算出された重心位置であるため、母体Ｓ１と胎児Ｓ２との合成重心よりも胎児Ｓ２単独の重心寄りの位置となる。胎児心拍重心Ｇ２ｈは、母体Ｓ１の移動及び胎児Ｓ２の移動の両方に起因して移動するが、胎児Ｓ２の移動の影響を母体Ｓ１の移動の影響よりも大きく受ける。また、ベッドＢＤ上に被験者Ｓ以外に起因する荷重（バッグ等の無生物や見舞客等による荷重）が加えられても、これらの荷重の振動周波数は一般に胎児心拍成分ｓａ２ｈ〜ｓｄ２ｈの振動周波数とは異なるため、胎児心拍重心Ｇ２ｈはこれらの荷重の影響を受けない。
【００４９】
求められた全体重心Ｇ０、母体呼吸重心Ｇ１ｂ、母体心拍重心Ｇ１ｈ、及び胎児心拍重心Ｇ２ｈの位置、及びこれらの時間的変動の軌跡である全体重心軌跡ＧＴ０、母体呼吸重心軌跡ＧＴ１ｂ、母体心拍重心軌跡ＧＴ１ｈ、及び胎児心拍重心軌跡ＧＴ２ｈは、記憶部４に記憶される。
【００５０】
[状態監視工程、出力工程]
状態監視工程Ｓ１０６では、状態監視部３５が、上記の工程において算出された各種波形や各種情報の少なくとも１つを用いて、様々な妊娠状態を監視する。出力工程Ｓ１０７では、状態監視工程Ｓ１０６における監視結果に基づく様々な出力（表示部５への表示、報知部６による報知、通信部７を介する通信等）が行われる。
【００５１】
状態監視部３５において行われる状態監視は、一例として（１）妊娠検査、（２）子宮収縮状態の監視、（３）胎児心拍の監視、（４）ノンストレステスト、（５）分娩時期の推定、（６）破水モニタリング、（７）陣痛モニタリング、を含む。
【００５２】
（１）妊娠検査
信号解析工程Ｓ１０２において得られる周波数スペクトルの０．５〜３．３Ｈｚ程度の周波数帯域を観察すると、母体の子宮内に胎児が存在しない場合は母体心拍周波数に対応する位置に単独の周波数ピークが現れるのみであるが、母体の子宮内に胎児が存在する場合には母体心拍周波数に対応する位置及び胎児心拍周波数に対応する位置にそれぞれ周波数ピークが現れる。
【００５３】
したがって、信号解析工程Ｓ１０２において得られた周波数スペクトルの０．５〜３．３Ｈｚ程度の周波数帯域に２つの周波数ピークが現れるか否かに基づいて妊娠検査を行うことができる。また、現れる周波数ピークの数に基づき胎児の数を判定することもできる。例えば、周波数ピークの数が３つであれば、胎児の数は２人であると判定できる。判定結果は表示部５に表示される。
【００５４】
（２）子宮収縮状態の監視
妊娠中の母体の子宮は、母体の疲労等の様々な原因により収縮する。子宮の収縮は、母体によって腹部の張りや痛みとして感知される。また、分娩の直前に生じる陣痛は子宮の強度の収縮が原因である。
【００５５】
状態監視部３５による子宮収縮状態の監視は、例えば次のように行われる。
【００５６】
状態監視部３５は、信号解析工程Ｓ１０２において得られた周波数スペクトルの３〜２０Ｈｚ程度の周波数帯域に周波数ピークが現れているか否かに基づいて、母体Ｓ１に子宮収縮が生じているか否かを判定する。具体的には、信号解析工程Ｓ１０２において得られた周波数スペクトルの３〜２０Ｈｚ程度の周波数帯域に周波数ピークが現れている場合には母体Ｓ１に子宮収縮が生じていると判定し、周波数ピークが現れていない場合には母体Ｓ１に子宮収縮が生じていないと判定する。
【００５７】
更に、状態監視部３５は、信号解析工程Ｓ１０２において得られた子宮収縮成分ｓａ１ｃ〜ｓｄ１ｃの波形の振幅に基づいて、子宮収縮の強度を推定する。具体的には、振幅が大きければ子宮収縮の強度も大きいと推定し、振幅が小さければ子宮収縮の強度も小さいと推定する。
【００５８】
状態監視部３５により判定された子宮収縮の有無、及び子宮収縮の強度は、表示部５に表示される。また状態監視部３５は、子宮収縮の状態が所定の基準を満たした時、例えば所定時間を越えて子宮収縮が継続した時や子宮収縮の強度が所定値を超えた時に、報知部６を用いた報知や通信部７を用いた通信を行い、医師や助産師に監視結果を通知してもよい。
【００５９】
（３）胎児心拍の監視
状態監視部３５は、信号解析工程Ｓ１０２において得られた胎児心拍成分ｓａ２ｈ〜ｓｄ２ｈの波形、及び心拍情報算出工程Ｓ１０４において算出された胎児Ｓ２の心拍数に基づいて、胎児Ｓ２の心拍状態を監視することができる。
【００６０】
状態監視部３５は、胎児Ｓ２の心拍数が正常値の範囲（一例として１２０〜１６０［回／分］）から逸脱した場合に、胎児Ｓ２の心拍状態が異常であると判定し、表示部５にその旨を表示してもよい。また、報知部６を用いた報知や通信部７を用いた通信を行い、医師や助産師に判定結果を通知してもよい。
【００６１】
（４）ノンストレステスト
状態監視部３５は、胎児Ｓ２の心拍状態の監視と、母体Ｓ１の子宮収縮状態の監視とを並行して行うことでノンストレステスト（ＮＳＴ）を実行することもできる。
【００６２】
ノンストレステストとは、胎児が分娩時のストレスに耐える能力を有しているか否かを確認することを主な目的として、妊娠後期に産科において行われるテストであり、胎児の心拍の様子と母体の子宮収縮の様子とを同期して検知することにより実行される。医師や助産師は、胎児の心拍の様子と母体の子宮収縮の様子とを同期して観察することにより、胎児が分娩時のストレスに耐え得るか否か等を判断する。具体的には例えば、母体の子宮に収縮が生じた際に胎児の心拍数が著しく減少する等の症状が観察されれば、胎児には分娩時の子宮の収縮に耐える能力がないと判断して、帝王切開分娩を検討する。
【００６３】
状態監視部３５は、信号解析工程Ｓ１０２において得られた子宮収縮成分ｓａ１ｃ〜ｓｄ１ｃの波形と胎児心拍成分ｓａ２ｈ〜ｓｄ２ｈの波形とを同期させて監視し、胎児が分娩時のストレスに耐える能力を有しているか否かを判定する。又は状態監視部３５による判定は行わず、子宮収縮成分ｓａ１ｃ〜ｓｄ１ｃの波形と胎児心拍成分ｓａ２ｈ〜ｓｄ２ｈの波形とを同期させて表示部５に表示するのみでもよい。
【００６４】
（５）陣痛発生時期の推定
臨月に至り分娩時期が近づくと、母体の子宮内の胎児は子宮口に向かって移動し、頭部を母体の骨盤の中に入れる。胎児の頭部が母体の骨盤の中に入ると、胎児の胎動が減少することが知られている。また胎児がこのような状態に至ると、ほどなく陣痛を生じて分娩に至ることが一般的である。
【００６５】
状態監視部３５は、母体呼吸重心Ｇ１ｂ及び／又は母体心拍重心Ｇ１ｈの位置と、胎児心拍重心Ｇ２ｈの位置とを比較し、胎児心拍重心Ｇ２ｈの位置が母体呼吸重心Ｇ１ｂ及び／又は母体心拍重心Ｇ１ｈの位置に相対して下方に移動したことに基づいて胎児Ｓ２が母体Ｓ１の子宮内を子宮口に向かって移動したと推定する。また、状態監視部３５は、胎児心拍重心Ｇ２ｈの移動の頻度が低下したことに基づいて胎児Ｓ２の頭部が母体Ｓ１の骨盤の中に入ったと推定する。
【００６６】
状態監視部３５は、これらの推定（胎児Ｓ２が母体Ｓ１の子宮内を子宮口に向かって移動したとの推定且つ／又は胎児Ｓ２の頭部が母体Ｓ１の骨盤の中に入ったとの推定）に基づいて、陣痛発生の時期、ひいては分娩の時期が近付いていると推定することができる。推定結果は、表示部５に表示されてもよく、報知部６を用いた報知や通信部７を用いた通信を行い、医師や助産師に通知されてもよい。
【００６７】
（６）破水モニタリング
破水（胎児を包む卵膜が破れ、子宮内の羊水が子宮外に流れ出る現象）は、陣痛が生じた後、分娩の直前に生じる場合のほか、陣痛発生前に生じることもある。状態監視部３５は、次の方法により母体Ｓ１に破水が生じたことを検知することができる。
【００６８】
母体Ｓ１に破水が生じると、母体Ｓ１の子宮内の羊水は、子宮口及び膣を介して母体Ｓ１の体外に流出する。これにより、被験者Ｓとは別体の無生物である羊水がベッドＢＤの上面に現れる。したがって、全体重心Ｇ０の位置は、被験者Ｓとは別体の無生物である羊水による荷重が加わったことにより変動する。
【００６９】
また、破水により、母体Ｓ１の体内（子宮内）に存在していた羊水が取り除かれる。したがって、母体呼吸重心Ｇ１ｂ且つ／又は母体心拍重心Ｇ１ｈの位置は、母体Ｓ１の体内の一部に偏在していた一定の重量が取り除かれたことにより、所定の態様の変動を示す。
【００７０】
すなわち、母体Ｓ１が羊水を体内から体外に排出することにより、全体重心Ｇ０の位置は下方に移動し、母体呼吸重心Ｇ１ｂ且つ／又は母体心拍重心Ｇ１ｈの位置は所定の態様の変動を示す。状態監視部３５は、全体重心Ｇ０と、母体呼吸重心Ｇ１ｂ且つ／又は母体心拍重心Ｇ１ｈとがこのような移動を示したことに基づき、母体Ｓ１に破水があったと判定する。判定結果は、表示部５、報知部６且つ／又は通信部７を用いて、母体Ｓ１、医師、助産師等に通知される。
【００７１】
（７）陣痛モニタリング
分娩が間近に迫ると、母体Ｓ１の子宮はそれまでの妊娠過程における収縮よりも強く収縮する。この収縮により母体Ｓ１に陣痛が生じる。陣痛は周期的に生じる本陣痛と、本陣痛の前に生じる非周期的な前駆陣痛とに分類されている。また本陣痛は、最初は１０〜１５分程度の周期で発生し、分娩が近づくにしたがって発生の周期が短くなる。
【００７２】
状態監視部３５は、母体Ｓ１に子宮収縮が生じているか否かの判定に基づいて母体Ｓ１の陣痛の状況を監視することができる。なお、母体Ｓ１に生じている子宮収縮が陣痛に関連するものであるか否かを判定する必要がある場合は、例えば、子宮収縮成分ｓａ１ｃ〜ｓｄ１ｃの波形の振幅に基づいて推定される子宮収縮の強度が所定値を超えているか否かにより判定を行っても良く、母体Ｓ１に陣痛が生じるべき時期であるか否か（例えば臨月であり且つ胎児Ｓ２の頭部が母体Ｓ１の骨盤に入っているか否か）により判定を行ってもよい。
【００７３】
状態監視部３５による陣痛モニタリングは、具体的には例えば、次のように行われる。
【００７４】
状態監視部３５は所定のサンプリング周期（一例として５秒）で、母体Ｓ１に子宮収縮が生じているか否か、即ち母体Ｓ１に陣痛が生じているか否かを判定する。そして所定のサンプリング時刻ｔ０（図５）において子宮収縮の有無の判定結果が「無し」から「有り」に転じれば、サンプリング時刻ｔ０を陣痛開始時刻ｔｓ１として記憶部４に記憶させる。
【００７５】
次いで、状態監視部３５は、所定のサンプリング時刻ｔ１において子宮収縮の有無の判定結果が「有り」から「無し」に転じた場合に、サンプリング時刻ｔ１を陣痛終了時刻ｔｅ１として記憶部４に記憶し、陣痛開始時刻ｔｓ１と陣痛終了時刻ｔｅ１との差分に基づいて陣痛継続時間Ｄを算出する。
【００７６】
次いで、状態監視部３５は、所定のサンプリング時刻ｔ２において子宮収縮の有無の判定結果が再度「無し」から「有り」に転じた場合に、サンプリング時刻ｔ２を陣痛開始時刻ｔｓ２として記憶部４に記憶し、陣痛開示時刻ｔｓ１と陣痛開始時刻ｔｓ２との差分に基づいて陣痛周期Ｔを算出する。
【００７７】
状態監視部３５は、算出した陣痛周期Ｔが所定の長さ（一例として１時間）を越えていれば、陣痛に周期性はないと判定し、サンプリング時刻ｔ０とサンプリング時刻ｔ１との間に生じた陣痛は前駆陣痛であったと判定する。なお、陣痛周期Ｔの算出を行うことなく、例えば陣痛終了時刻ｔｅ１から所定時間（一例として１時間）経過した時点で、サンプリング時刻ｔ０とサンプリング時刻ｔ１との間に生じた陣痛は前駆陣痛であったと判定してもよい。
【００７８】
一方で、状態監視部３５は、算出した陣痛周期Ｔが第１の所定値（一例として１０分から１５分程度）であればサンプリング時刻ｔ０とサンプリング時刻ｔ１との間に生じた陣痛と、サンプリング時刻ｔ２に開始した陣痛とは、いずれも周期性を有する本陣痛であると判定する。その後、陣痛の終了及び次の陣痛の開始が生じるたびに、陣痛継続時間Ｄの算出及び陣痛周期Ｔの算出を繰り返し、陣痛周期Ｔが第２の所定値（一例として５分から７分程度）であるか否かを判定する。
【００７９】
状態監視部３５は、陣痛周期Ｔが第２の所定値であると判定した場合には、被験者Ｓに分娩が迫っていると判定し、その旨を表示部５に表示するとともに、様々な出力を行う。
【００８０】
具体的には例えば、妊娠状態モニタリングシステム１００が病室のベッドと共に使用されている場合には、通信部７及び院内回線を通じて医師・助産師に分娩時期の接近を知らせる。医師・助産師は、この報知を受けて分娩に向けた人的、物的な様々な準備を開始することができる。
【００８１】
妊娠状態モニタリングシステム１００が自宅のベッドと共に使用されている場合には、報知部６を介して、被験者Ｓに産院に向かうよう促す。また、通信部７を介してタクシー会社等と通信して配車を依頼するとともに、産院に対して、被験者Ｓがまもなく産院に向かう旨を通知する。この時、母体Ｓ１の呼吸数や心拍数、胎児Ｓ２の心拍数、陣痛周期Ｔ、陣痛継続時間Ｄを合わせて産院に通知してもよい。また、母体Ｓ１の呼吸数や心拍数、胎児Ｓ２の心拍数等に基づき必要であると判定される場合には、タクシーを配車する代わりに救急車を手配しても良い。
【００８２】
本実施形態の妊娠状態モニタリングシステム１００の効果を以下にまとめる。
【００８３】
本実施形態の妊娠状態モニタリングシステム１００は、ベッドＢＤの脚の下に配置された荷重検出器１ａ〜１ｄからの荷重信号に基づいて母体Ｓ１の子宮収縮状態を判定している。したがって本実施形態の妊娠状態モニタリングシステム１００によれば、母体Ｓ１の子宮収縮状態（陣痛の状態を含む）を非侵襲でモニターすることができる。また、妊娠状態モニタリングシステム１００を母体Ｓ１に取付ける手間がなく、妊娠状態モニタリングシステム１００が母体Ｓ１から脱落する恐れもない。
【００８４】
本実施形態の妊娠状態モニタリングシステム１００は、べッドＢＤの脚の下に配置された荷重検出器１ａ〜１ｄからの荷重信号に基づいて胎児Ｓ２の心拍の状態をモニターすることができる。したがって、母体Ｓ１の腹部に超音波プローブを取り付けて胎児の心音を検知する従来の方法とは異なり、胎児が子宮内でどのような姿勢を取っていても（即ち胎児の心臓が母体の腹部表面から遠い位置にあっても）、良好に胎児の心拍の状態を監視することができる。
【００８５】
本実施形態の妊娠状態モニタリングシステム１００により、母体Ｓ１の子宮収縮の様子と、胎児Ｓ２の心拍の様子とを同期して観察することができる。したがって、本実施形態の妊娠状態モニタリングシステム１００を病院に設置すれば、従来は母体の腹部に複数のセンサを取り付けて行っていたノンストレステストを、非侵襲で実施することが可能となる。また、本実施形態の妊娠状態モニタリングシステム１００を妊婦の自宅に設置すれば、例えば臨月に至った母体Ｓ１の子宮の収縮の様子と胎児Ｓ２の心拍の様子を常にモニタリングすることができるため、不測の事態を迅速に検知し、適切な対応を取ることが可能となる。
【００８６】
また、本実施形態の妊娠状態モニタリングシステム１００を分娩室の分娩台と共に使用することで、分娩中の母体Ｓ１の子宮の収縮の様子と胎児Ｓ２の心拍の様子を、非侵襲でモニタリングすることができる。即ち、従来の分娩監視装置を妊娠状態モニタリングシステム１００に置き換えることができる。本実施形態の妊娠状態モニタリングシステム１００は、分娩台の脚の下に荷重検出器１ａ〜１ｄを配置するだけで使用できるため、例えば緊急を要する分娩処置において、母体Ｓ１にセンサを取り付ける時間を省略できる等の効果がある。
【００８７】
本実施形態の妊娠状態モニタリングシステム１００を妊婦の自宅に設置すれば、例えば臨月を迎えた妊婦は、胎児の頭部が骨盤に収まったことに基づいて、陣痛の開始を予見することができる。このように、陣痛開始時期の予見性を高めることは、妊婦の不安感を解消する上で大いに効果的である。また例えば、臨月を迎えた妊婦が睡眠中に破水した場合も、迅速にこれを検知し適切な報知を行うことができる。
【００８８】
本実施形態の妊娠状態モニタリングシステム１００を妊婦の自宅に設置して陣痛モニタリングを行うことで、例えば初産婦であっても陣痛の周期を正確に把握し、適切なタイミングで病院に移動することができる。また、本実施形態の妊娠状態モニタリングシステム１００を病院の陣痛室に設置すれば、妊婦を分娩室に移動させる適切なタイミングを、医師や助産師の手を煩わせることなく決定することができる。
【００８９】
＜変形例＞
上記実施形態の妊娠状態モニタリングシステム１００において、次の変形態様を採用することも可能である。
【００９０】
上記実施形態の妊娠状態モニタリングシステム１００は、重心位置算出工程Ｓ１０５で算出した母体Ｓ１の母体呼吸重心Ｇ１ｂの位置及び母体呼吸重心軌跡ＧＴ１ｂを表示部５に表示してもよい。
【００９１】
このような構成を有する妊娠状態モニタリングシステム１００を分娩台と共に用いれば、使用者である医師や助産師は、母体呼吸重心Ｇ１ｂの移動の様子に基づいて母体Ｓ１の呼吸の様子を監視し、分娩中の母体Ｓ１に適切な呼吸を行うよう促すことができる。具体的には例えば、医師等は、母体呼吸重心Ｇ１ｂが停止していることに基づいて母体Ｓ１が呼吸を止めて過度に力んでいると判断し、リラックスして呼吸を継続するよう母体Ｓ１に促す。
【００９２】
上記実施形態の妊娠状態モニタリングシステム１００は、信号解析工程Ｓ１０２において得られた周波数スペクトルに基づく妊娠検査を予め行い、胎児Ｓ２が存在すると判定した場合にのみ陣痛モニタリングを行うよう構成してもよい。
【００９３】
上記実施形態の妊娠状態モニタリングシステム１００を用いて陣痛モニタリングを行う場合には、信号解析工程Ｓ１０２におけるフーリエ解析は、周波数３Ｈｚ〜２０Ｈｚの周波数帯域の周波数スペクトルのみを求めるものであってもよい。また、状態監視部３５が陣痛の有無を判定するサンプリング周期は、陣痛周期Ｔが長い時期は長め（一例として３０秒〜１分）に設定し、陣痛周期が短くなるに従って短く（一例として１〜５秒に）してもよい。これらの構成を採用することにより、陣痛モニタリングの精度を損なうことなく処理不可を低減することができる。
【００９４】
上記実施形態の妊娠状態モニタリングシステム１００において、荷重検出器１ａ、１ｂ、１ｃ、１ｄは、ビーム形ロードセルを用いた荷重センサに限られず、例えばフォースセンサを使用することもできる。
【００９５】
上記実施形態の妊娠状態モニタリングシステム１００において、荷重検出器は４つに限られない。ベッドＢＤに追加の脚を設けて５つ以上の荷重検出器を使用してもよい。又はベッドＢＤの脚のうち３つのみに荷重検出器を配置してもよい。荷重検出器が３つの場合でも、これを一直線に配置しなければ、ベッドＢＤ面上での被験者Ｓの重心位置Ｇを検出できる。
【００９６】
上記実施形態の妊娠状態モニタリングシステム１００おいては、荷重検出器１ａ、１ｂ、１ｃ、１ｄは、ベッドＢＤの脚の下端に取り付けられたキャスターＣａ、Ｃｂ、Ｃｃ、Ｃｄの下にそれぞれ配置されていたがこれには限られない。荷重検出器１ａ、１ｂ、１ｃ、１ｄはそれぞれ、ベッドＢＤの４本の脚とベッドＢＤの床板との間に設けられてもよいし、ベッドＢＤの４本の脚が上下に分割可能であれば、上部脚と下部脚との間に設けられても良い。ベッドＢＤに代えて分娩台やストレッチャーを用いる場合も同様に、荷重検出器は分娩台やストレッチャーの脚部に組み込まれていても良い。なお、本明細書及び本発明において「載置台に設けられた荷重検出器」とは、上述のようにベッドＢＤの４本の脚とベッドＢＤの床板との間に設けられた荷重検出器や、載置台の一部分（脚部等）に組み込まれた荷重検出器を意味する。
【００９７】
荷重検出器１ａ、１ｂ、１ｃ、１ｄをベッドＢＤと一体型とし、ベッドＢＤと本実施形態の身体状態モニタリングシステム１００とからなるベッドシステムＢＤＳを構成してもよい（図６）。
【００９８】
なお、上記の実施形態において、荷重検出部１とＡ／Ｄ変換部２との間に、荷重検出部１からの荷重信号を増幅する信号増幅部や、荷重信号からノイズを取り除くフィルタリング部を設けても良い。
【００９９】
なお、上記実施形態の妊娠状態モニタリングシステム１００において、表示部５は、使用者が視覚的に認識できるようにモニター上に情報を表示するものには限られない。例えば表示部５は、被験者Ｓの妊娠状態を定期的に印字して出力するプリンタでもよい。さらに、妊娠状態モニタリングシステム１００は表示部５を有さなくてもよく、情報を出力する出力端子を有するのみであってもよい。表示を行うためのモニター（ディスプレイ装置）等は、当該出力端子を介して妊娠状態モニタリングシステム１００に接続される。
【０１００】
なお、上記実施形態の報知部６は聴覚的に報知を行っていたが、報知部６は、光の点滅等によって視覚的に報知を行う構成であってもよく、振動により報知を行う構成であってもよい。また、上記実施形態の妊娠状態モニタリングシステム１００は、報知部６を有さなくても良い。
【０１０１】
なお、上記実施形態の妊娠状態モニタリングシステム１００において、配線によって接続されている構成同士は、それぞれ無線によって接続されていてもよい。
【０１０２】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【０１０３】
本発明の妊娠状態モニタリングシステムによれば、妊娠に関連する、母体及び胎児の様々な状態を非侵襲で監視することができる。したがってこれを病院や妊婦の自宅において用いれば、妊婦の負担を増すことなく妊娠状態をより高頻度に監視することが可能となる。
【符号の説明】
【０１０４】
１  荷重検出部、１ａ，１ｂ，１ｃ，１ｄ  荷重検出器、２  Ａ／Ｄ変換部、３  制御部、３１  信号解析部、３２  呼吸情報算出部、３３  心拍情報算出部、３４  重心位置算出部、３５  状態監視部、４  記憶部、５  表示部、６  報知部、７  通信部、８  入力部、１００  妊娠状態モニタリングシステム、ＢＤ  ベッド、ＢＤＳ  ベッドシステム  Ｓ  被験者、Ｓ１  母体、Ｓ２  胎児
【図１】
2018068477.tif 000005
【図２】
2018068477.tif 000006
【図３】
2018068477.tif 000007
【図４】
2018068477.tif 000008
【図５】
2018068477.tif 000009
【図６】
2018068477.tif 000010
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
載置台の上の母体且つ／又は該母体の子宮内の胎児の状態をモニターする妊娠状態モニタリングシステムであって、
載置台又は載置台の脚下に設けられ、前記母体及び前記胎児の荷重の時間的変動を検出する少なくとも１つの荷重検出器と、
前記母体及び前記胎児の荷重の時間的変動の周波数スペクトルを求める信号解析部と、
前記求められた周波数スペクトルに基づいて、前記母体の子宮に収縮が生じているか否かを判定する状態監視部とを備える妊娠状態モニタリングシステム。
【請求項２】
前記状態監視部は、更に、前記母体の子宮に収縮が生じる周期を求める請求項１に記載の妊娠状態モニタリングシステム。
【請求項３】
更に、前記母体の子宮に収縮が生じる周期が所定値に至ったことに基づいて所定の出力を行う出力部を備える請求項２に記載の妊娠状態モニタリングシステム。
【請求項４】
前記信号解析部は、前記母体及び前記胎児の荷重の時間的変動に含まれる前記胎児の心拍に応じて振動する荷重成分を分離し、
前記状態監視部は、前記胎児の心拍に応じて振動する荷重成分に基づいて前記胎児の心拍の状態を監視する請求項１に記載の妊娠状態モニタリングシステム。
【請求項５】
前記少なくとも１つの荷重検出器は複数の荷重検出器であり、
更に、前記母体及び前記胎児の荷重から前記母体且つ／又は前記胎児の重心の位置を求める重心位置算出部を備え、
前記信号解析部は、前記母体及び前記胎児の荷重の時間的変動に含まれる前記母体の呼吸に応じて振動する荷重成分を分離し、
前記重心位置算出部は、該母体の呼吸に応じて振動する荷重成分に基づき前記母体の重心の位置を求める請求項１〜４のいずれか一項に記載の妊娠状態モニタリングシステム。